(57)【要約】【課題】本発明は照明器具に関し、複数の点灯装置の起動タイミングのずれを抑制できる照明器具を得ることを目的とする。【解決手段】本発明に係る照明器具は、複数の光源と、該複数の光源をそれぞれ点灯させる複数の点灯装置と、該複数の点灯装置と通信する制御ユニットと、を備え、該複数の点灯装置の各々は、スイッチング素子のオンオフにより光源を点灯させる点灯回路と、該点灯回路を制御する制御回路と、該制御回路の制御電源を生成する制御電源回路と、を備え、該複数の点灯装置の各々の該制御電源は、該制御ユニットに供給される。【選択図】図３
2020170614.tif 000002
【特許請求の範囲】
【請求項１】
複数の光源と、
前記複数の光源をそれぞれ点灯させる複数の点灯装置と、
前記複数の点灯装置と通信する制御ユニットと、
を備え、
前記複数の点灯装置の各々は、
スイッチング素子のオンオフにより光源を点灯させる点灯回路と、
前記点灯回路を制御する制御回路と、
前記制御回路の制御電源を生成する制御電源回路と、
を備え、
前記複数の点灯装置の各々の前記制御電源は、前記制御ユニットに供給されることを特徴とする照明器具。
【請求項２】
前記制御ユニットは、前記複数の点灯装置から電力供給を受ける複数の配線同士を接続する電源配線を備えることを特徴とする請求項１に記載の照明器具。
【請求項３】
複数の光源と、
前記複数の光源をそれぞれ点灯させる複数の点灯装置と、
前記複数の点灯装置と通信する制御ユニットと、
を備え、
前記複数の点灯装置の各々は、
スイッチング素子のオンオフにより光源を点灯させる点灯回路と、
前記点灯回路を制御する制御回路と、
を備え、
前記複数の点灯装置のうち第１点灯装置は、前記制御ユニットに電力を供給するとともに、前記制御ユニットを介して前記複数の点灯装置のうち第２点灯装置の前記制御回路に電力を供給することを特徴とする照明器具。
【請求項４】
前記制御ユニットは、前記第１点灯装置から電力供給を受ける配線と、前記第２点灯装置に電力供給を行う配線と、を接続する電源配線を備えることを特徴とする請求項３に記載の照明器具。
【請求項５】
前記複数の点灯装置の各々は、前記制御回路の制御電源を生成する制御電源回路を備え、
前記制御ユニットは、前記第２点灯装置に前記制御電源の生成を停止させ、前記第１点灯装置の前記制御電源から前記第２点灯装置の前記制御回路に電力を供給させることを特徴とする請求項３または４に記載の照明器具。
【請求項６】
前記複数の点灯装置の各々は、前記制御電源の生成を停止する停止回路を備えることを特徴とする請求項５に記載の照明器具。
【請求項７】
前記第２点灯装置の前記制御電源の生成の停止と、前記第１点灯装置から前記第２点灯装置への電力供給の開始は、前記スイッチング素子のスイッチングが停止している状態で実施されることを特徴とする請求項５または６に記載の照明器具。
【請求項８】
前記制御ユニットは、光源の点灯状態を制御する制御信号を前記複数の点灯装置に送信し、
前記制御回路は、前記制御信号に応じて前記点灯回路を制御することを特徴とする請求項１から７の何れか１項に記載の照明器具。
【請求項９】
前記制御ユニットは、前記複数の点灯装置の状態を確認する制御信号を前記複数の点灯装置に送信し、
前記複数の点灯装置は、前記制御信号に応じて前記複数の点灯装置の状態をそれぞれ応答することを特徴とする請求項１から８の何れか１項に記載の照明器具。
【請求項１０】
前記制御回路は、送信端子と、受信端子と、を有し、
前記制御ユニットは、ユニット側送信端子を有する制御部と、前記複数の点灯装置のうち、第１点灯装置の前記制御回路の前記送信端子と、第２点灯装置の前記制御回路の前記受信端子とを接続する信号配線と、を備え
前記制御部は、前記ユニット側送信端子から前記第１点灯装置に制御信号を送信し、
前記第１点灯装置の前記制御回路は、前記受信端子から前記制御信号を受信し、前記送信端子から前記制御信号を送信し、
前記第２点灯装置の前記制御回路は、前記信号配線を介して前記受信端子から前記制御信号を受信することを特徴とする請求項１から９の何れか１項に記載の照明器具。
【発明の詳細な説明】
【技術分野】
【０００１】
本発明は、照明器具に関する。
【背景技術】
【０００２】
特許文献１には複数の光源ユニットを点灯する点灯装置が開示されている。この点灯装置は、光源ユニットに各別に給電する複数の電源ユニットと、電源ユニットを制御する制御ユニットとを備える。複数の電源ユニットは、スイッチング電源回路と、スイッチング電源回路の動作を制御する制御回路と、制御回路の動作用の電源を生成する制御電源回路とをそれぞれ有する。制御ユニットは、スイッチング電源回路の出力レベルを指示する制御信号を、複数の電源ユニットに共通に与える制御部を有する。この点灯装置では、何れか１つの電源ユニットの制御電源回路で生成される電源で制御部を動作させる。
【先行技術文献】
【特許文献】
【０００３】
【特許文献１】特許第６３９９４５０号公報
【発明の概要】
【発明が解決しようとする課題】
【０００４】
特許文献１の点灯装置では、制御ユニットに給電している電源ユニットの電源は、制御ユニットに給電してない電源ユニットの電源よりも消費電力が大きくなる。このため、電源の電圧がばらつき、商用電源の瞬時停電時等に、電源復帰後の電源ユニットの起動タイミングがずれる恐れがある。
【０００５】
本発明は、上述の課題を解決するためになされたもので、複数の点灯装置の起動タイミングのずれを抑制できる照明器具を得ることを目的とする。
【課題を解決するための手段】
【０００６】
本発明に係る照明器具は、複数の光源と、該複数の光源をそれぞれ点灯させる複数の点灯装置と、該複数の点灯装置と通信する制御ユニットと、を備え、該複数の点灯装置の各々は、スイッチング素子のオンオフにより光源を点灯させる点灯回路と、該点灯回路を制御する制御回路と、該制御回路の制御電源を生成する制御電源回路と、を備え、該複数の点灯装置の各々の該制御電源は、該制御ユニットに供給される。
【０００７】
本発明に係る照明器具は、複数の光源と、該複数の光源をそれぞれ点灯させる複数の点灯装置と、該複数の点灯装置と通信する制御ユニットと、を備え、該複数の点灯装置の各々は、スイッチング素子のオンオフにより光源を点灯させる点灯回路と、該点灯回路を制御する制御回路と、を備え、該複数の点灯装置のうち第１点灯装置は、該制御ユニットに電力を供給するとともに、該制御ユニットを介して該複数の点灯装置のうち第２点灯装置の該制御回路に電力を供給する。
【発明の効果】
【０００８】
本発明に係る照明器具では、複数の点灯装置の各々の制御電源が、制御ユニットに供給される。従って、制御電源の消費電力のばらつきを抑制でき、複数の点灯装置の起動タイミングのずれを抑制できる。
本発明に係る照明器具では、第１点灯装置が制御ユニットに電力を供給するとともに、制御ユニットを介して第２点灯装置の制御回路に電力を供給する。従って、複数の点灯装置が１つの制御電源で動作するため、複数の点灯装置の起動タイミングのずれを抑制できる。
【図面の簡単な説明】
【０００９】
【図１】実施の形態１に係る制御ユニットの回路ブロック図である。
【図２】実施の形態１に係る照明装置の回路ブロック図である。
【図３】実施の形態１に係る照明器具の回路ブロック図である。
【図４】実施の形態２に係る照明装置の回路ブロック図である。
【図５】実施の形態２に係る照明器具の通信シーケンスを示す図である。
【図６】実施の形態３に係る照明器具の回路ブロック図である。
【発明を実施するための形態】
【００１０】
本発明の実施の形態に係る照明器具について図面を参照して説明する。同じ又は対応する構成要素には同じ符号を付し、説明の繰り返しを省略する場合がある。
【００１１】
実施の形態１．
図１は、実施の形態１に係る制御ユニット１の回路ブロック図である。制御ユニット１は、接続端子５、６を備える。接続端子５、６にはそれぞれ点灯装置が接続される。制御ユニット１は接続端子５、６を２つ以上備えれば良い。
【００１２】
制御ユニット１は、降圧回路２、制御部３およびインターフェース部４を備える。降圧回路２は、複数の点灯装置から供給される制御電源を、制御部３を動作させる電源に変換する。制御ユニット１にはコントローラ７が接続される。インターフェース部４は、コントローラ７と接続され、コントローラ７から受信した外部信号を変換して、制御部３に入力する。また、インターフェース部４は、制御部３から受信した信号を変換して、コントローラ７に送信しても良い。制御部３は、インターフェース部４から受信した信号に応じて、複数の点灯装置を制御する。
【００１３】
コントローラ７と制御ユニット１との通信は、例えばＰＷＭ（Ｐｕｌｓｅ  Ｗｉｄｔｈ  Ｍｏｄｕｌａｔｉｏｎ）信号により行われる。ＰＷＭ信号に代えて、ＩＥＣ６２３８６で定められたＤＡＬＩ（Ｄｅｇｉｔａｌ  Ａｄｄｒｅｓｓａｂｌｅ  Ｌｉｇｈｔｉｎｇ  Ｉｎｔｅｒｆａｃｅ）（登録商標）信号が用いられても良い。インターフェース部４は、コントローラ７から受信した信号を、制御部３が検出可能な信号に変換する。制御部３が検出可能な信号は、Ｈｉｇｈ／Ｌｏｗからなるデジタル信号である。
【００１４】
制御部３は、例えばマイクロコンピュータである。制御部３は２組のシリアルポートを有する。シリアルポートは、ユニット側送信端子Ｔｘ１、Ｔｘ２と、ユニット側受信端子Ｒｘ１、Ｒｘ２を含む。制御部３は、インターフェース部４から入力されるデジタル信号に応じて、ユニット側送信端子Ｔｘ１、Ｔｘ２から、それぞれ点灯装置に制御信号を送信する。また、制御部３は、ユニット側受信端子Ｒｘ１、Ｒｘ２により、点灯装置からの応答信号を受信する。このように、制御ユニット１は複数の点灯装置と通信する。
【００１５】
制御部３は、Ｖｄｄ端子と接地用端子であるＧＮＤ端子を有する。Ｖｄｄ端子には、複数の点灯装置から接続端子５、６および降圧回路２を介して、制御部３で必要とされる動作電圧Ｖｄｄが供給される。動作電圧Ｖｄｄは一般に５Ｖもしくは３．３Ｖである。接続端子５、６から給電される電圧Ｖｃｃは、例えば１５Ｖである。降圧回路２は、レギュレータＩＣなどから構成される。降圧回路２は、電圧Ｖｃｃを動作電圧Ｖｄｄに降圧する。
【００１６】
接続端子５は、電源端子５ａ、Ｔｘ端子５ｂ、Ｒｘ端子５ｃおよび接地用端子５ｄから構成される。電源端子５ａは降圧回路２と接続される。Ｔｘ端子５ｂおよびＲｘ端子５ｃは、ユニット側送信端子Ｔｘ１およびユニット側受信端子Ｒｘ１とそれぞれ接続される。接地用端子５ｄは、回路グランドに接続される。
【００１７】
接続端子６は、電源端子６ａ、Ｔｘ端子６ｂ、Ｒｘ端子６ｃおよび接地用端子６ｄから構成される。電源端子６ａは降圧回路２と接続される。Ｔｘ端子６ｂおよびＲｘ端子６ｃは、ユニット側送信端子Ｔｘ２およびユニット側受信端子Ｒｘ２とそれぞれ接続される。接地用端子６ｄは、回路グランドに接続される。
【００１８】
制御ユニット１は、複数の点灯装置から電力供給を受ける複数の配線同士を接続する電源配線４０を備える。これにより、制御部３は、複数の点灯装置から制御電源を供給される。電源配線４０は、接続端子５、６と降圧回路２との間において、複数の点灯装置から電圧Ｖｃｃが供給される電源端子５ａと電源端子６ａとを接続する。
【００１９】
ここでは、コントローラ７とインターフェース部４との間の通信が有線である場合について説明した。これに限らず、コントローラ７とインターフェース部４との間で無線通信が行われても良い。この場合、インターフェース部４は、電波を受信するアンテナとして構成される。
【００２０】
図２は、実施の形態１に係る照明装置５０の回路ブロック図である。照明装置５０は、光源１５と、光源１５を点灯させる点灯装置１０とを備える。光源１５は、直列に接続された複数の発光素子から構成される。発光素子は、例えばＬＥＤである。複数の発光素子は、並列または直並列に接続されても良い。また、光源１５が有する発光素子の数は１つ以上であれば良い。
【００２１】
点灯装置１０は、整流回路１２、ＰＦＣ（ｐｏｗｅｒ  ｆａｃｔｏｒ  ｃｏｒｒｅｃｔｉｏｎ）回路１３、負荷回路１４、制御電源回路１６、降圧回路１７、制御回路１８、電源検出回路１９および接続端子２０を備える。整流回路１２は、商用電源１１を整流する。商用電源１１は交流電源である。ＰＦＣ回路１３は、整流された電圧を一定の直流電圧に昇圧すると共に、力率を改善する。負荷回路１４は、ＰＦＣ回路１３が出力する直流電圧から、光源１５に供給する電力を生成する。ＰＦＣ回路１３と負荷回路１４は、スイッチング素子のオンオフにより光源１５を点灯させる点灯回路を構成する。制御回路１８は、ＰＦＣ回路１３と負荷回路１４がそれぞれ有するスイッチング素子のオンオフを制御し、点灯回路を制御する。
【００２２】
制御電源回路１６は、ＰＦＣ回路１３と負荷回路１４との間に接続される。制御電源回路１６は、ＰＦＣ回路１３の出力電圧から制御回路１８を駆動させる制御電源を生成する。これに限らず、制御電源回路１６は、整流回路１２の出力電圧から制御電源を生成しても良い。制御電源の電圧Ｖｃｃは、例えば１５Ｖである。制御電源の電圧Ｖｃｃは、接続端子２０を介して制御ユニット１に供給される。制御電源回路１６は、例えば両端に電圧Ｖｃｃが印加されるコンデンサを備える。
【００２３】
降圧回路１７は、電圧Ｖｃｃを制御回路１８の動作電圧Ｖｄｄに降圧する。動作電圧Ｖｄｄは例えば５Ｖもしくは３．３Ｖである。降圧回路１７の出力電圧である動作電圧Ｖｄｄは、制御回路１８に電源として供給される。
【００２４】
電源検出回路１９は、商用電源１１の供給の有無を検出する。電源検出回路１９は、例えば商用電源１１の供給の有無を電圧として検出する。制御回路１８は、電源検出回路１９から入力される検出電圧を監視し、検出電圧が閾値よりも高い場合は、ＰＦＣ回路１３と負荷回路１４を予め定められたシーケンスにより駆動させる。また、制御回路１８は、検出電圧が閾値以下の場合、停電を検出する。制御回路１８は、停電を検出すると点灯回路のスイッチングを停止させても良い。
【００２５】
また、制御回路１８は、例えばマイクロコンピュータである。制御回路１８は、１組のシリアルポートを有する。シリアルポートは送信端子Ｔｘ３と受信端子Ｒｘ３とを含む。制御回路１８は、受信端子Ｒｘ３によって制御ユニット１からの制御信号を受信する。制御回路１８は、送信端子Ｔｘによって、受信した制御信号に応じた応答を送信する。
【００２６】
接続端子２０には、点灯装置１０の外部から制御ユニット１が接続される。接続端子２０は、図１に示される接続端子５、６の何れかと接続される。接続端子２０は、電源端子２４、接地用端子２３、Ｔｘ３端子２２およびＲｘ３端子２１から構成される。電源端子２４は降圧回路１７の入力および制御電源回路１６の出力と接続される。接地用端子２３は、ＰＦＣ回路１３の低電位側の出力と接続される。Ｔｘ３端子２２およびＲｘ３端子２１は、送信端子Ｔｘ３および受信端子Ｒｘ３とそれぞれ接続される。
【００２７】
図３は、実施の形態１に係る照明器具３０の回路ブロック図である。照明器具３０は、複数の照明装置５０と制御ユニット１を備える。複数の照明装置５０は、照明装置５０ａと照明装置５０ｂを含む。照明装置５０ａは第１点灯装置１０ａと光源１５ａを備える。照明装置５０ｂは、第２点灯装置１０ｂと光源１５ｂを備える。第１点灯装置１０ａと第２点灯装置１０ｂは、光源１５ａ、１５ｂをそれぞれ点灯させる。第１点灯装置１０ａと第２点灯装置１０ｂの構成は、点灯装置１０と同じである。第１点灯装置１０ａの制御電源と第２点灯装置１０ｂの制御電源は、容量が等しい。
【００２８】
制御ユニット１は、第１点灯装置１０ａと第２点灯装置１０ｂに接続される。接続端子５には第１点灯装置１０ａが接続され、接続端子６には第２点灯装置１０ｂが接続される。制御部３は、第１点灯装置１０ａから供給される電圧Ｖｃｃ１と、第２点灯装置１０ｂから供給される電圧Ｖｃｃ２によって動作する。
【００２９】
制御部３は、コントローラ７の信号に応じて、第１点灯装置１０ａと、第２点灯装置１０ｂに対して、個別に制御信号を送信する。制御ユニット１は、制御信号をユニット側送信端子Ｔｘ１から送信する。第１点灯装置１０ａは、制御信号を受信端子Ｒｘ３で受信し、送信端子Ｔｘ３から制御信号に応じた応答を返信する。制御ユニット１は、応答をユニット側受信端子Ｒｘ１で受信する。
【００３０】
同様に、制御ユニット１は、制御信号をユニット側送信端子Ｔｘ２から送信する。第２点灯装置１０ｂは、制御信号を受信端子Ｒｘ４で受信し、送信端子Ｔｘ４から制御信号に応じた応答を返信する。制御ユニット１は、応答をユニット側受信端子Ｒｘ２で受信する。
【００３１】
コントローラ７からの信号には、光源１５ａ、１５ｂの明るさを変更する調光指令または照明器具３０の状態を確認する指令がある。照明器具３０の状態には、現在の消費電力または設定されている調光率等が含まれる。
【００３２】
コントローラ７からの信号が調光指令の場合の動作を説明する。この場合、制御ユニット１は、光源１５ａ、１５ｂの点灯状態を制御する制御信号を複数の点灯装置１０に送信する。制御ユニット１は、ユニット側送信端子Ｔｘ１、Ｔｘ２から、例えば調光率の指令を送信する。第１点灯装置１０ａと第２点灯装置１０ｂの各々において、制御回路１８は制御信号に応じて点灯回路を制御する。つまり、制御回路１８は、受信した調光率の指令に応じて、負荷回路１４を制御し、光源１５ａ、１５ｂの明るさを制御する。
【００３３】
さらに、第１点灯装置１０ａと第２点灯装置１０ｂの各々において、制御回路１８は、制御信号に応じて送信端子Ｔｘ３または送信端子Ｔｘ４から応答を送信する。応答には、調光指令にて受信した調光率が含まれる。これにより、調光指令を認識したことを制御ユニット１に通知できる。
【００３４】
次に、コントローラ７からの信号が、照明器具３０の現在の状態を確認する指令の場合の動作について説明する。制御ユニット１は、複数の点灯装置１０の状態を確認する制御信号を複数の点灯装置１０に送信する。制御ユニット１は、ユニット側送信端子Ｔｘ１、Ｔｘ２から例えば消費電力モニタの指令を送信する。制御信号に応じて、複数の点灯装置１０は、複数の点灯装置１０の状態をそれぞれ応答する。
【００３５】
制御信号が消費電力モニタの指令の場合、第１点灯装置１０ａと第２点灯装置１０ｂの各々において、制御回路１８は負荷回路１４の出力から消費電力を算出する。さらに、第１点灯装置１０ａと第２点灯装置１０ｂの各々において、制御回路１８は、算出した消費電力を応答として、送信端子Ｔｘ３または送信端子Ｔｘ４から送信する。制御部３は、応答をユニット側受信端子Ｒｘ１、Ｒｘ２から受信する。制御部３は、第１点灯装置１０ａおよび第２点灯装置１０ｂからの応答を加算する。制御部３は、加算した消費電力を照明器具３０の消費電力として、インターフェース部４からコントローラ７へ応答する。
【００３６】
次に、本実施の形態の効果について説明する。本実施の形態では、複数の点灯装置１０の各々の制御電源は、制御ユニット１に供給される。つまり、第１点灯装置１０ａと第２点灯装置１０ｂの制御電源は、制御ユニット１により共通で消費される。このとき、瞬時停電等により瞬間的に商用電源１１がオフされた場合、第１点灯装置１０ａと第２点灯装置１０ｂの制御電源は、放電される時間が同一になる。また、商用電源１１がオフされた後、第１点灯装置１０ａと第２点灯装置１０ｂの制御電源の消費電力は等しい。
【００３７】
第１点灯装置１０ａと第２点灯装置１０ｂでは、制御電源回路１６を構成するコンデンサの容量が等しい。このため、第１点灯装置１０ａと第２点灯装置１０ｂの制御電源の電圧は、商用電源１１から制御電源回路１６への給電が停止した後に、同時に動作電圧Ｖｄｄを下回る。また、商用電源１１の復帰後に制御電源が充電されると、第１点灯装置１０ａと第２点灯装置１０ｂの制御電源の電圧は、同時に動作電圧Ｖｄｄを上回る。このように、第１点灯装置１０ａと第２点灯装置１０ｂにおいて、制御電源の電圧は等しく、制御回路１８がリセットされるタイミングが合う。
【００３８】
商用電源１１の復帰後に制御回路１８がリセットされた後、制御電源はさらに充電され、点灯回路のスイッチングが開始される。第１点灯装置１０ａと第２点灯装置１０ｂにおいて、リセットからスイッチング開始までのシーケンスは同じである。このため、リセットのタイミングを合わせることで、第１点灯装置１０ａと第２点灯装置１０ｂの起動のタイミングを合わせることができる。つまり、第１点灯装置１０ａと第２点灯装置１０ｂにおいて、スイッチングを同時に開始できる。従って、光源１５ａ、１５ｂを同時に点灯させることができ、点灯のタイミングにばらつきが生じることを防止できる。
【００３９】
なお、第１点灯装置１０ａと第２点灯装置１０ｂの起動のタイミングは同じでなくても良い。制御電源の容量のばらつき等により、第１点灯装置１０ａと第２点灯装置１０ｂの起動のタイミングにはずれが生じる可能性がある。この場合も、例えば第１点灯装置１０ａのみから制御ユニット１に給電を行う構成と比較すれば、複数の点灯装置１０の起動タイミングのずれを抑制できる。
【００４０】
また、本実施の形態では、第１点灯装置１０ａと第２点灯装置１０ｂのどちらか一方の制御回路１８が制御電源を生成していれば、制御ユニット１の制御部３は動作する。このため、制御ユニット１の電源を確実に確保できる。
【００４１】
本実施の形態の照明器具３０には、２つの点灯装置１０が設けられた。これに限らず、照明器具３０に設けられる点灯装置１０は３つ以上であっても良い。この場合、全ての点灯装置１０の制御電源から制御部３に給電が行われる。
【００４２】
これらの変形は以下の実施の形態に係る照明器具について適宜応用することができる。なお、以下の実施の形態に係る照明器具については実施の形態１との共通点が多いので、実施の形態１との相違点を中心に説明する。
【００４３】
実施の形態２．
図４は、実施の形態２に係る照明装置２５０の回路ブロック図である。なお、本実施の形態の照明器具３０の構成は、複数の照明装置５０が複数の照明装置２５０に置き換わったこと以外は、実施の形態１と同じである。照明装置２５０は点灯装置２１０を備える。点灯装置２１０は、制御電源の生成を停止する停止回路２２１を備える。停止回路２２１は、制御電源回路１６と、降圧回路１７および接続端子２０との間に設けられる。
【００４４】
停止回路２２１が動作すると、制御電源回路１６から降圧回路１７と接続端子２０への制御電源の供給が停止される。停止回路２２１は、制御電源回路１６から降圧回路１７と接続端子２０への給電路を遮断するものであっても良い。停止回路２２１は、例えばスイッチから構成されても良い。
【００４５】
制御回路１８と停止回路２２１は接続されている。制御回路１８は、制御ユニット１からの停止指令に応じて、停止回路２２１を動作させる。これにより、制御電源の生成または供給が停止される。
【００４６】
この構成に限らず、停止回路２２１は設けられなくても良い。この場合、制御回路１８が、制御電源回路１６が備えるＩＣを制御して制御電源回路１６の動作を停止させても良い。また、停止回路２２１は、制御電源回路１６とＰＦＣ回路１３との間に設けられても良い。この場合、制御回路１８は停止回路２２１を制御して、ＰＦＣ回路１３の出力と制御電源回路１６を切り離す。これにより、制御電源の生成が停止する。
【００４７】
また、複数の点灯装置２１０のうち第１点灯装置２１０ａは、制御ユニット１に電力を供給するとともに、制御ユニット１を介して第１点灯装置２１０ａ以外の第２点灯装置２１０ｂの制御回路１８に電力を供給する。本実施の形態において、図１に示される電源配線４０は、第１点灯装置２１０ａから電力供給を受ける配線と、第２点灯装置２１０ｂに電力供給を行う配線とを接続する。電源配線４０は、第１点灯装置２１０ａから電圧Ｖｃｃが供給される電源端子５ａと、第２点灯装置２１０ｂに電圧Ｖｃｃを供給する電源端子６ａとを接続する。
【００４８】
図５は、実施の形態２に係る照明器具３０の通信シーケンスを示す図である。まず、商用電源１１がＯＮされる。これにより、第１点灯装置２１０ａと第２点灯装置２１０ｂにおいて制御電源回路１６が制御電源を生成する。制御電源は、制御ユニット１に供給される。これにより、制御部３が動作を開始する。
【００４９】
制御ユニット１は、第１点灯装置２１０ａと第２点灯装置２１０ｂに対して、点灯装置接続確認の信号を送信する。第１点灯装置２１０ａと第２点灯装置２１０ｂは、信号を受信すると、制御ユニット１と接続していることを応答する。この応答には、第１点灯装置２１０ａと第２点灯装置２１０ｂそれぞれの固有アドレスが含まれることが好ましい。これにより、制御ユニット１は、複数の点灯装置２１０の接続台数およびアドレスを確認できる。
【００５０】
制御ユニット１は、複数の点灯装置２１０の接続台数を予め記憶している。制御ユニット１は、記憶した台数と、応答を受信した点灯装置２１０の台数とを照合する。ここでは、複数の点灯装置２１０の台数は２台であるものとする。記憶した台数と、応答を受信した台数とが一致した場合、制御ユニット１は第２点灯装置２１０ｂに対して、停止指令を送信する。ここで、制御ユニット１に点灯装置２１０がｎ台接続されている場合、制御ユニット１は第１点灯装置１０ａ以外のｎ−１台に停止指令を送信する。
【００５１】
第２点灯装置２１０ｂの制御回路１８は、停止指令を受信すると、停止回路２２１を駆動して制御電源回路１６を停止させる。また、制御ユニット１は、第２点灯装置２１０ｂが制御電源の生成を停止すると同時に、第１点灯装置２１０ａから第２点灯装置２１０ｂに対して、制御電源を供給する。これにより、第２点灯装置２１０ｂは制御電源を受給する。第２点灯装置２１０ｂにおいて、制御電源回路１６が停止すると同時に、外部から制御電源が供給される。このため、制御回路１８が動作停止することはない。
【００５２】
その後、第１点灯装置２１０ａと第２点灯装置２１０ｂの各々は、予め定められた時間の経過後に、ＰＦＣ回路１３と負荷回路１４を順次駆動する。これにより、光源１５ａ、１５ｂに電力が供給され、点灯が開始される。
【００５３】
本実施の形態では、第１点灯装置２１０ａは、制御ユニット１に制御電源を供給する。さらに制御ユニット１は、第２点灯装置２１０ｂに制御電源の生成を停止させ、第１点灯装置２１０ａの制御電源から第２点灯装置２１０ｂの制御回路１８に電力を供給させる。すなわち、第１点灯装置２１０ａと第２点灯装置２１０ｂと制御ユニット１は、第１点灯装置２１０ａの制御電源回路１６で生成された制御電源で共通に動作する。
【００５４】
実施の形態２における照明器具３０は、共通の制御電源で動作している。このため、瞬時停電等により商用電源１１がＯＦＦになり、制御電源の電圧が動作電圧Ｖｄｄを下回り、その後商用電源１１がＯＮした場合に、第１点灯装置２１０ａと第２点灯装置２１０ｂの起動のタイミングは必ず一致する。従って、光源１５ａ、１５ｂの点灯のタイミングがばらつくことを防止できる。
【００５５】
また、第２点灯装置２１０ｂの制御電源の生成の停止と、第１点灯装置２１０ａから第２点灯装置２１０ｂへの電力供給の開始は、ＰＦＣ回路１３と負荷回路１４のスイッチング素子のスイッチングが停止している状態で実施される。つまり、制御電源の切り替えは、ＰＦＣ回路１３と負荷回路１４を駆動する前の制御電源の消費電流が少ない状態で行われる。このため、制御電源の共通化のためのモード移行を安定して実施できる。従って、モード移行時においても、制御回路１８の動作を安定して継続できる。
【００５６】
実施の形態３．
図６は、実施の形態３に係る照明器具３３０の回路ブロック図である。照明器具３３０は、制御ユニット３０１と、複数の照明装置５０を備える。照明器具３３０は、制御ユニット３０１の構成が実施の形態１と異なる。
【００５７】
制御ユニット３０１は、１組のシリアルポートで第１点灯装置１０ａと、第２点灯装置１０ｂを制御する。シリアルポートは、ユニット側送信端子Ｔｘ５とユニット側受信端子Ｒｘ５を含む。接続端子５のＴｘ端子５ｂは、ユニット側送信端子Ｔｘ５と接続される。接続端子５のＲｘ端子５ｃは、接続端子６のＴｘ端子６ｂと接続される。接続端子６のＲｘ端子６ｃは、ユニット側受信端子Ｒｘ５と接続される。
【００５８】
制御ユニット３０１は信号配線３４１を備える。信号配線３４１は、Ｒｘ端子５ｃとＴｘ端子６ｂとを接続する。つまり、信号配線３４１は、第１点灯装置１０ａの制御回路１８の送信端子Ｔｘ３と、第２点灯装置１０ｂの制御回路１８の受信端子Ｒｘ４とを接続する。
【００５９】
制御部３は、コントローラ７からの信号に応じてユニット側送信端子Ｔｘ５から制御信号を第１点灯装置１０ａに送信する。制御信号にはアドレスが含まれる。これにより、複数の点灯装置１０の各々は、第１点灯装置１０ａに対する制御信号と、第２点灯装置１０ｂに対する制御信号とを判別できる。
【００６０】
第１点灯装置１０ａは、受信端子Ｒｘ３で制御信号を受信する。第１点灯装置１０ａは、自分のアドレス宛ての制御信号に従い動作する。また、第１点灯装置１０ａは、自分のアドレス宛ての制御信号に対する応答及び他のアドレス宛の制御信号を送信端子Ｔｘ３から返信する。
【００６１】
第１点灯装置１０ａから送信された応答および制御信号は、制御ユニット３０１の信号配線３４１を介して、そのまま第２点灯装置１０ｂに送信される。このように、制御ユニット３０１は、第１点灯装置１０ａから受信した信号をそのまま第２点灯装置１０ｂに送信する。
【００６２】
第２点灯装置１０ｂは、受信端子Ｒｘ４で応答および制御信号を受信すると、自分のアドレス宛ての制御信号に従い動作する。また、第２点灯装置１０ｂは、第１点灯装置１０ａが送信した応答と、自分のアドレス宛ての制御信号に対する応答とを、送信端子Ｔｘ４から返信する。
【００６３】
制御ユニット３０１は、第２点灯装置１０ｂからの応答をユニット側受信端子Ｒｘ５で受信する。
【００６４】
本実施の形態では、第１点灯装置１０ａと、第２点灯装置１０ｂを個別に制御するために、制御信号にアドレスを含む。これに限らず、制御信号にはアドレスが含まれなくても良い。この場合、同一の制御信号により複数の点灯装置１０が制御される。
【００６５】
本実施の形態では、制御信号の伝達経路として、第１点灯装置１０ａと第２点灯装置１０ｂとが直列に接続される。制御部３は、ユニット側送信端子Ｔｘ５から第１点灯装置１０ａに制御信号を送信する。第１点灯装置１０ａの制御回路１８は、受信端子Ｒｘ３から制御信号を受信し、送信端子Ｔｘ３から制御信号を送信する。第２点灯装置１０ｂの制御回路１８は、信号配線３４１を介して受信端子Ｒｘ４から制御信号を受信する。これにより、制御部３は、１組のシリアルポートのみで第１点灯装置１０ａと第２点灯装置１０ｂを制御できる。従って、制御部３として安価で小型な部品を使用することができる。
【００６６】
本実施の形態では、点灯装置１０が２つ設けられた。これに限らず、点灯装置１０は３つ以上設けられても良い。この場合、複数の点灯装置１０のうち隣接する点灯装置１０の送信端子と受信端子とは、制御ユニット３０１の内部で接続される。これにより、制御信号の伝達経路として、複数の点灯装置１０は直列に接続される。従って、制御部３は、１組のシリアルポートのみで複数の点灯装置１０を制御できる。
【００６７】
各実施の形態で説明した技術的特徴は適宜に組み合わせて用いてもよい。
【符号の説明】
【００６８】
１、３０１  制御ユニット、２  降圧回路、３  制御部、４  インターフェース部、５  接続端子、５ａ  電源端子、５ｂ  Ｔｘ端子、５ｃ  Ｒｘ端子、５ｄ  接地用端子、６  接続端子、６ａ  電源端子、６ｂ  Ｔｘ端子、６ｃ  Ｒｘ端子、６ｄ  接地用端子、７  コントローラ、１０、２１０  点灯装置、１０ａ、２１０ａ  第１点灯装置、１０ｂ、２１０ｂ  第２点灯装置、１１  商用電源、１２  整流回路、１３  ＰＦＣ回路、１４  負荷回路、１５、１５ａ、１５ｂ  光源、１６  制御電源回路、１７  降圧回路、１８  制御回路、１９  電源検出回路、２０  接続端子、２１  Ｒｘ３端子、２２  Ｔｘ３端子、２３  接地用端子、２４  電源端子、３０、３３０  照明器具、４０  電源配線、５０、５０ａ、５０ｂ、２５０  照明装置、２２１  停止回路、３４１  信号配線、Ｒｘ１  ユニット側受信端子、Ｒｘ２  ユニット側受信端子、Ｒｘ３  受信端子、Ｒｘ４  受信端子、Ｒｘ５  ユニット側受信端子、Ｔｘ  送信端子、Ｔｘ１  ユニット側送信端子、Ｔｘ２  ユニット側送信端子、Ｔｘ３  送信端子、Ｔｘ４  送信端子、Ｔｘ５  ユニット側送信端子
【図１】
2020170614.tif 000003
【図２】
2020170614.tif 000004
【図３】
2020170614.tif 000005
【図４】
2020170614.tif 000006
【図５】
2020170614.tif 000007
【図６】
2020170614.tif 000008